(57)【特許請求の範囲】
【請求項１】
駆動輪に駆動力を伝達する駆動源としてのエンジン及びモータと、
変速機の変速を制御する変速制御手段と、
前記変速制御手段に対して手動による変速操作を入力する手動変速操作手段と、
コースト状態で、前記手動変速操作手段の操作によって手動変速状態となり前記手動変速操作手段による操作がシフトダウン操作である場合に、前記変速機の入力回転数が予め設定された閾値以上であるか否かを判定し、前記変速機の入力回転数が予め設定された閾値以上であると判定したときに、前記変速機の入力回転数が上昇する前に前記エンジンを始動する一方、前記変速機の入力回転数が予め設定された閾値未満であれば、前記エンジンを始動しない始動制御手段と、
を備えることを特徴とする車両用走行制御装置。
【請求項２】
請求項１において、
前記手動変速操作手段の変速操作によって前記エンジンが始動した後、前記手動変速状態の解除まで、エンジンの停止を禁止することを特徴とする車両用走行制御装置。
【発明の詳細な説明】
【技術分野】
【０００１】
本発明は、エンジン及びモータを駆動源とし、走行の状態に応じてエンジン及びモータの少なくとも一方を使用して走行するハイブリッド車両の車両用走行制御の技術に関する。
【背景技術】
【０００２】
ハイブリッド車両の走行制御装置としては、例えば特許文献１に記載の技術がある。この特許文献１の走行制御装置では、運転者によるアクセル操作要求が無い場合には、低燃費化のためにエンジンを停止して、モータの出力によって車速を制御する。
【先行技術文献】
【特許文献】
【０００３】
【特許文献１】特開２００５−１６０２５２号公報
【発明の概要】
【発明が解決しようとする課題】
【０００４】
ところで、通常の走行制御を実行する自動変速モードと、自動変速モードと比較して加速操作に対するトルク変化率が高い走行制御を実行する手動変速モード（いわゆるスポーツモード等）とを有しているハイブリッド車両もある。自動変速モードと手動変速モードとの切り替えは、運転者の選択操作によって行う。この運転者の選択操作は、セレクトレバーの操作によって行うことができる。このようなハイブリッド車両において、手動変速モードとなったときには、燃費よりも走行レスポンスの向上、すなわち運転者の駆動力要求に応じた迅速な加速が必要となる。
【０００５】
上記の自動変速モード、手動変速モードのいずれにおいても、運転者がスイッチを操作することによって、シフトアップ操作又はシフトダウン操作を行うことができる。そして、シフトダウン操作を行うことにより、エンジンブレーキがかかった状態にすることができる。
自動変速モードでは、運転者がシフトダウン操作を行った場合、燃料の消費量を低減するため、エンジンを停止するように制御する。一方、手動変速モードにおいても、運転者がシフトダウン操作を行った場合にエンジンを停止すれば、燃料の消費量を低減できる。
【０００６】
しかしながら、エンジンが一旦停止すると、その再始動が必要になり、運転者の要求する駆動力を運転者の要求する適切なタイミングで得ることが困難になる。
このように、従来の技術においては、ハイブリッド車両が手動変速状態であるときに、エンジンの始動および停止を適切に制御することが困難であった。
本発明の課題は、ハイブリッド車両が手動変速状態であるときに、エンジンの始動および停止をより適切に制御することである。
【課題を解決するための手段】
【０００７】
上記課題を解決するために、本発明に係る車両用走行制御装置では、コースト状態で、手動変速操作手段の操作によって手動変速状態となった場合に、変速機の入力回転数が予め設定された閾値以上であれば、手動変速操作手段による操作がシフトダウン操作であるときに、変速機の入力回転数が上昇する前にエンジンを始動する一方、変速機の入力回転数が予め設定された閾値未満であれば、エンジンを始動しない。
【発明の効果】
【０００８】
本発明によれば、再加速時にエンジンが再始動することによって生じるタイムラグを抑制することができる。したがって、ハイブリッド車両が手動変速状態であるときに、エンジンの始動および停止をより適切に制御することができる。
【図面の簡単な説明】
【０００９】
【図１】本発明の車両用走行制御装置を適用したハイブリッド車両の概要構成図である。
【図２】本実施形態に係るパワートレーンの制御システム（車両用走行制御装置）を説明する構成図である。
【図３】統合コントローラにおける基本的な信号の流れを示す図である。
【図４】本実施形態に係る統合コントローラの機能ブロックを示す図である。
【図５】目標駆動トルク演算部の機能ブロックである。
【図６】車両状態モードの遷移関係を示す図である。
【図７】車両状態モード決定部の機能ブロックを示す図である。
【図８】手動変速モードを説明する図である。
【図９】本実施形態の制御内容の例を示すフローチャートである。
【図１０】本実施形態の他の制御内容の例を示すフローチャートである。
【図１１】比較例のタイムチャート例を示す図である。
【図１２】本実施形態のタイムチャート例を示す図である。
【発明を実施するための形態】
【００１０】
次に、本発明の実施形態について図面を参照しつつ説明する。
（第１の実施形態）
図１は本発明の車両用走行制御装置を適用したハイブリッド車両の概要構成図である。図１に示すハイブリッド車両は後輪駆動の例であるが、前輪駆動であっても本発明は適用可能である。
（駆動系の構成）
まず駆動系（パワートレーン）の構成について説明する。
本実施形態のパワートレーンは、図１に示すように、エンジン１から左右後輪（駆動輪）までのトルク伝達経路の途中に、モータ２及び自動変速機ＡＴ（＝トランスミッションＴ／Ｍ）３を介装する。エンジン１とモータ２との間に、第１クラッチ４を介装する。また、モータ２と駆動輪（後輪）との間のトルク伝達経路に第２クラッチ５を介装する。この例では、第２クラッチ５は、自動変速機ＡＴ３（＝トランスミッションＴ／Ｍ）の一部を構成する。自動変速機ＡＴ３は、プロペラシャフト、ディファレンシャルＤＦ６、及びドライブシャフトを介して駆動輪７（後輪）に接続する。
【００１１】
上記エンジン１は、ガソリンエンジンやディーゼルエンジンである。エンジン１は、後述するエンジンコントローラ２２からの制御指令に基づき、スロットルバルブのバルブ開度等が制御可能となっている。なお、エンジン１の出力軸に、フライホイールが設けられていても良い。
上記モータ２は、例えばロータに永久磁石を埋設しステータにステータコイルを巻き付けた同期型モータである。モータ２は、後述するモータコントローラ２３からの制御指令に基づき、後述のインバータ８で作り出した三相交流を印加することで制御出来る。このモータ２は、後述のバッテリ９からの電力の供給を受けて回転駆動する電動機として動作することもできる（この状態を「力行」と呼ぶ）。また、モータ２は、ロータが外力により回転している場合には、ステータコイルの両端に起電力を生じさせる発電機として機能してバッテリ９を充電することもできる（この動作状態を「回生」と呼ぶ）。このモータ２のロータは、図外のダンパーを介して自動変速機ＡＴの入力軸に連結する。
【００１２】
上記第１クラッチ４は、上記エンジン１とモータ２との間に介装された油圧式単板クラッチである。上記第１クラッチ４は、後述するＡＴコントローラ２４からの制御指令に基づいて、入力した目標クラッチ伝達トルクとなるように、第１クラッチ油圧ユニットが作り出した制御油圧により、締結状態若しくは開放状態となる。なお、締結・開放には、滑り締結と滑り開放を含む。
【００１３】
上記第２クラッチ５は、油圧式多板クラッチである。上記第２クラッチ５は、後述するＡＴコントローラ２４からの制御指令に基づき、目標クラッチ伝達トルクとなるように、第２クラッチ油圧ユニットで作り出した制御油圧により、締結状態若しくは開放状態となる。なお、締結・開放には、滑り締結と滑り開放を含む。
上記自動変速機ＡＴは、例えば、前進７速後退１速や前進６速後退１速等の有段階の変速比を、車速や後述の統合コントローラ２１から入力した変速用アクセル開度等に応じて自動的に切り換える変速機である。ここで、上記第２クラッチ５は、専用クラッチとして新たに追加したものではなく、自動変速機ＡＴの各変速段にて締結する複数の摩擦締結要素のうち、いくつかの摩擦締結要素を流用して構成する。
【００１４】
ここで、本実施形態では、第２クラッチ５を自動変速機ＡＴ（＝トランスミッションＴ／Ｍ）の一部として構成する場合を例示しているが、これに限定されない。第２クラッチ５は、モータ２と自動変速機ＡＴとの間、若しくは自動変速機ＡＴとディファレンシャル・ギヤＤＦとの間に配置する構成であっても良い。
また、各輪には、それぞれブレーキユニット（不図示）を備える。各ブレーキユニットは、例えばディスクブレーキやドラムブレーキからなる。各ブレーキユニットは、油圧ブレーキ装置であっても、電動ブレーキ装置であっても良い。各ブレーキユニットは、ブレーキコントローラ２５からの指令に応じて、対応する車輪に制動力を付与する。なお、ブレーキユニットは、全ての車輪に設ける必要はない。
【００１５】
また、図１中、符号１４は電動サブオイルポンプを示し、符号１５は機械式オイルポンプを示す。これらのオイルポンプ１４，１５は、各クラッチのための油圧を発生する。また、符号１０は、エンジン１の回転数を検出するエンジン回転センサを、符号１１は、モータ２の回転を検出するレゾルバ等のモータ回転センサを示す。また、符号１２は、変速機の入力軸の回転を検出するＡＴ入力回転センサを、符号１３は、変速機の出力軸の回転を検出するＡＴ出力回転センサを示す。また、符号２７は、車輪の回転を検出する車輪速センサを示す。車輪速センサ２７は、不図示の従動輪(前輪)にも設けてもよい。
【００１６】
図２は、図１に示したパワートレーンの制御システム（車両用走行制御装置）を説明する構成図である。
符号３３は運転者が操作するアクセルペダル３３である。このアクセルペダル３３のアクセル開度ＡＰＯは、アクセルセンサ２０によって検出され、アクセルセンサ２０は、検出したアクセル開度ＡＰＯ情報を統合コントローラ２１に出力する。
また、符号３４はペダルアクチュエータ３４である。ペダルアクチュエータ３４は、車間制御コントローラ３１からの指令に応じたペダル反力をアクセルペダル３３に付与するアクチュエータである。
【００１７】
また符号３２は、先行車検出手段を構成するレーダーユニット３２である。レーダーユニット３２は、車両前方の先行車両を検出し、検出した先行車両情報を車間制御コントローラ３１に出力する。
また符号２７は車輪速センサである。車輪速センサ２７は、検出した車輪速情報をブレーキコントローラ２５に出力する。また、車輪速情報から求まる車速情報は、ブレーキコントローラ２５から統合コントローラ２１及び車間制御コントローラ３１に出力する。
また符号３５は、運転者に走行状態を提示するためのメータである。メータ３５は、オートクルーズの情報などを表示する。
【００１８】
また符号２９はブレーキスイッチである。ブレーキスイッチ２９は、ブレーキペダル（不図示）の操作を検出する。
符号２８は、ステアリングスイッチである。ステアリングスイッチ２８は、自動走行制御であるオートクルーズ走行の起動や走行条件（目標車速等）の変更指示を運転者が行うための操作子である。ここで、本実施形態のクルーズ走行は、定速走行制御（定速クルーズ）及び車間制御（車間クルーズ）の両方を含む。
符号３０は、ブレーキペダルに設けられたクルーズキャンセルスイッチである。クルーズキャンセルスイッチ３０は、自動走行制御であるオートクルーズ走行の終了を指示するための操作子である。なお、上記ステアリングスイッチ２８にもオートクルーズの終了するスイッチが存在する。このスイッチも含めクルーズキャンセルスイッチ３０と呼ぶ。
【００１９】
符号３６は、手動変速モードにおいて使用するマニュアルモードスイッチである。マニュアルモードスイッチ３６を操作するためには、運転者がセレクトレバーを操作する。マニュアルモードスイッチ３６には、手動変速モードへの切り替えスイッチ、マニュアルシフトアップスイッチ、マニュアルシフトダウンスイッチを含む。なお、変速制御を自動的に行う自動変速モードにおいて、マニュアルモードスイッチを操作すると、ハイブリッド車両は手動変速モード（手動変速状態）に移行する。
符号１８はバッテリ９の電圧を検出する電圧センサである。符号１９はバッテリ９の電流を検出する電流センサである。
【００２０】
次に、ハイブリッド車両の制御系の構成について説明する。
上記ハイブリッド車両の制御系は、図２に示すように、エンジンコントローラ２２と、モータコントローラ２３と、インバータ８と、バッテリコントローラ２６と、ＡＴコントローラ２４と、ブレーキコントローラ２５と、統合コントローラ２１と、を有する。また、本実施形態のハイブリッド車両の制御系は、車間制御コントローラ３１を有する。
なお、エンジンコントローラ２２と、モータコントローラ２３と、ＡＴコントローラ２４と、ＡＴコントローラ２４と、ブレーキコントローラ２５と、車間制御コントローラ３１と、統合コントローラ２１とは、互いに情報交換が可能なＣＡＮ通信線（不図示）を介して接続する。
【００２１】
上記エンジンコントローラ２２は、エンジン回転数センサ１０からのエンジン回転数情報を入力する。そして、上記エンジンコントローラ２２は、統合コントローラ２１からの目標エンジントルク等に応じ、エンジン動作点（Ｎｅ、Ｔｅ）を制御する指令を、例えば、図外のスロットルバルブアクチュエータへ出力する。なお、エンジン回転数Ｎｅの情報は、ＣＡＮ通信線を介して統合コントローラ２１から取得する。
【００２２】
上記モータコントローラ２３は、モータ２のロータ回転位置を検出するモータ回転センサ１１からの情報を入力する。そして、上記モータコントローラ２３は、統合コントローラ２１からの目標モータトルクや回転数指令等に応じ、モータ２のモータ動作点（Ｎｍ、Ｔｍ）を制御する指令をインバータ８へ出力する。
バッテリコントローラ２６は、バッテリ９の充電状態をあらわすバッテリＳＯＣを監視している。バッテリコントローラ２６は、バッテリＳＯＣ情報を、モータ２の制御情報等として、ＣＡＮ通信線を介して統合コントローラ２１へ供給する。
【００２３】
上記ＡＴコントローラ２４は、車輪情報と第１及び第２クラッチ油圧センサからのセンサ情報を入力する。そして、上記ＡＴコントローラ２４は、統合コントローラ２１からのアクセル開度ＡＰＯ状態、第１及び第２クラッチ制御指令（目標第１クラッチトルク、目標第２クラッチトルク）に応じ、変速制御における第２クラッチ制御に優先し、第２クラッチ５の締結・開放を制御する指令をＡＴ油圧コントロールバルブ内の第２クラッチ油圧ユニットに出力すると共に、第１クラッチ４の締結・開放を制御する指令を第１クラッチ油圧ユニット(不図示)に出力する。
【００２４】
上記ブレーキコントローラ２５は、４輪の各車輪速を検出する車輪速センサ２７とブレーキストロークセンサからのセンサ情報を入力する。上記ブレーキコントローラ２５は、予め設定した制御サイクルで、ブレーキペダルのストローク量や車間制御コントローラ３１などからの制動要求量、車速に基づき目標減速度を演算する。そして、ブレーキコントローラ２５は、回生協調ブレーキ制御として、目標減速度を回転制動力としての協調回生ブレーキ要求トルク及び機械制動力（油圧制動力）としての目標油圧制動力に制動力配分を行う。そして、協調回生ブレーキ要求トルクを統合コントローラ２１のモータコントローラ２３に出力する。目標油圧制動力を、油圧制動力装置に出力する。例えば、上記ブレーキコントローラ２５は、ブレーキ踏み込み制動時のブレーキストロークＢＳ等から求めらた要求制動力に対し、回生制動力だけでは不足する場合、回生協調ブレーキ制御を行う。そして、その不足分を機械制動力（液圧制動力やモータ２制動力）で補うように、統合コントローラ２１からの回生協調制御指令に基づいて回生協調ブレーキ制御を行う。
【００２５】
また、車間制御コントローラ３１は、運転者が設定したステアリングスイッチ２８の情報、クルーズ制御作動許可状態、その他の必要情報を、統合コントローラ２１から入力する。そして、車間制御コントローラ３１は、統合コントローラ２１からの情報に基づき、先行車に対する車間制御を実施すると判定すると、自車速、レーダーユニット３２の検出に基づく先行車両の情報（車間距離や相対速度など）等に基づき、先行車に対して目標車間距離や目標車間時間とするための目標加速度及び目標減速度を演算する。そして、車間制御コントローラ３１は、求めた目標加速度を車間クルーズ要求トルク（ＡＣＣ要求トルク）として統合コントローラ２１に出力する。また、車間制御コントローラ３１は、求めた目標減速度を制動要求トルクとしてブレーキコントローラ２５に出力する。
【００２６】
また、車間制御コントローラ３１は、ＤＣＡ制御（Ｄｉｓｔａｎｃｅ Ｃｏｎｔｒｏｌ Ａｓｓｉｓｔ）部３１Ａを有する。ＤＣＡ制御部３１Ａは、統合コントローラ２１から受信するアクセル開度ＡＰＯ情報と、車輪速センサ２７の検出に基づく車速情報、レーダーユニット３２からの情報に基づきペダル反力指令を演算する。そして、ＤＣＡ制御部３１Ａは、先行車との車間を保つ為の運転者への支援情報として、演算した反力指令をペダルアクチュエータ３４に出力する。ペダルアクチュエータ３４は、入力したアクセルペダル３３に反力を付与する。
【００２７】
上記統合コントローラ２１は、車両全体の消費エネルギーを管理し、最高効率で車両を走らせるための機能を担うものである。
上記統合コントローラ２１は、エンジン回転数Ｎｅを検出するエンジン回転数センサ１０、モータ回転数Ｎｍを検出するモータ回転センサ１１、変速機入力回転数を検出するＡＴ入力回転センサ１２、変速機出力回転数を検出するＡＴ出力回転センサ１３からの情報を入力する。また、統合コントローラ２１は、アクセルセンサ２０からアクセル開度ＡＰＯ情報、バッテリコントローラ２６からバッテリ９の蓄電状態ＳＯＣの情報を入力する。また、上記統合コントローラ２１は、ＣＡＮ通信線を介して取得した情報を出力する。
【００２８】
また、上記統合コントローラ２１は、上記エンジンコントローラ２２への制御指令によりエンジン１の動作制御を実行する。上記統合コントローラ２１は、上記モータコントローラ２３への制御指令によりモータ２の動作制御を実行する。上記統合コントローラ２１は、上記ＡＴコントローラ２４への制御指令により第１クラッチ４の締結・開放制御を実行する。上記統合コントローラ２１は、上記ＡＴコントローラ２４への制御指令により第２クラッチ５の締結・開放制御を実行する。
【００２９】
ここで、本実施形態のハイブリッド車両における基本動作モードについて説明する。
車両停止中において、バッテリＳＯＣの低下時であれば、エンジン１を始動して発電を行い、バッテリ９を充電する。そして、バッテリＳＯＣが通常範囲になれば、第１クラッチ４は締結で第２クラッチ５は開放のままでエンジン１を停止する。
エンジン１による発進時には、アクセル開度ＡＰＯとバッテリＳＯＣ状態によって、モータ２を連れ回し、力行／発電に切り替える。
【００３０】
モータ走行（ＥＶモード）は、エンジン始動に必要なモータトルクとバッテリ出力を確保し、不足する場合はエンジン走行に移行する。また、予め設定したマップ等に基づき予め設定した所定車速以上となると、モータ走行（ＥＶモード）からエンジン走行（ＨＥＶモード）に移行する。またエンジン走行時において、アクセル踏み込み時のレスポンス向上のために、エンジントルク遅れ分をモータ２によりアシストする。すなわち、エンジン走行中は、エンジン１の動力だけ、若しくはエンジン１及びモータ２の動力の両方で走行するモードが存在する。
【００３１】
ブレーキＯＮ減速時には、運転者のブレーキ操作に応じた減速力を回生協調ブレーキ制御にて得る。
エンジン走行やモータ走行中における変速時には、加減速中の変速に伴う回転数合わせのために、モータ２を回生／力行させ、トルクコンバータ無しでのスムーズな変速を行う。
図３は、本実施形態の統合コントローラ２１の制御における基本的な指令値の基本的な流れを示す概要構成図を例示するものである。また、図４は本実施形態の統合コントローラ２１の制御を機能的に説明する機能ブロック図である。
【００３２】
次に、統合コントローラ２１にて実行する制駆動制御処理における、本発明に関わる部分について説明する。
統合コントローラ２１は、図４に示すように、要求発電トルク演算部２１Ａ、要求エンジントルク演算部２１Ｂ、モータ出力可能トルク演算部２１Ｃ、目標駆動トルク演算部２１Ｄ、車両状態モード決定部２１Ｅ、エンジン始動制御部２１Ｆ、エンジン停止制御部２１Ｇ、目標エンジントルク算出部２１Ｈ、目標モータトルク算出部２１Ｊ、目標クラッチトルク算出部２１Ｋを備える。
【００３３】
要求発電トルク演算部２１Ａは、車速情報やバッテリコントローラ２６からのＳＯＣなどのバッテリ情報などに基づき、モータ２で発電すべき要求発電トルクを演算する。
要求エンジントルク演算部２１Ｂは、車速などの走行状態や要求発電トルク演算部２１Ａが演算した要求発電トルク等に基づき、エンジン１で発生すべき要求エンジントルクを演算する。
モータ出力可能トルク演算部２１Ｃは、バッテリコントローラ２６からのＳＯＣなどのバッテリ情報や、車速などに基づき、モータ２が出力可能なモータ出力可能トルクを演算する。
【００３４】
目標駆動トルク演算部２１Ｄは、目標とする目標駆動トルクを演算する。目標駆動トルク演算部２１Ｄは、ドライバ要求トルク演算部、自動制御要求トルク演算部を備える。ドライバ要求トルク演算部は、運転者の操作するアクセルペダル３３の操作量（アクセル開度ＡＰＯ）に基づき、運転者が要求していると推定するドライバ要求トルクを演算する。また、自動制御要求トルク演算部は、自動走行制御スイッチであるステアリングスイッチの操作によって作動し、クルーズキャンセルスイッチ３０の操作による終了まで、運転者が予め設定した走行条件（設定車速）の走行状態に自動調整するための自動制御要求トルクを演算する。そして、目標駆動トルク演算部２１Ｄは、ドライバ要求トルク演算部が演算したドライバ要求トルクと自動制御要求トルク演算部が演算した自動制御要求トルクとに基づき、目標駆動トルクを演算する。
【００３５】
本実施形態の目標駆動トルク演算部２１Ｄは、図５に示すように、ドライバ要求トルク演算部２１Ｄａ、自動制御要求トルク演算部２１Ｄｂ、第１目標駆動トルク演算部２１Ｄｃ、車速リミッタトルク演算部２１Ｄｄ、最終目標駆動トルク演算部２１Ｄｅを備える。
ドライバ要求トルク演算部２１Ｄａは、少なくともアクセルペダル３３のアクセル開度ＡＰＯ情報及び車速に基づき、ドライバ要求トルクを演算する。ドライバ要求トルク演算部２１Ｄａは、図３に示す例では、アクセル開度ＡＰＯ及び変速機入力回転数を入力し、ベーストルクマップを参照して基本ドライバ要求トルクを演算する。また、車速に基づき、クリープ・コースト駆動力テーブルを参照して第１の補正トルクを演算する。また、アクセル開度ＡＰＯ情報、変速機入力回転数、ＳＯＣ等に基づく電力制限情報に基づき、ＭＧアシストトルクＭＡＰを参照して、第２の補正トルクを算出する。そして、ドライバ要求トルク演算部２１Ｄａは、演算した基本ドライバ要求トルク、第１の補正トルク、第２の補正トルクに基づき、最終的なドライバ要求トルクを求める。
【００３６】
自動制御要求トルク演算部２１Ｄｂは、ステアリングスイッチ２８及びＡＣＣ許可信号を車間制御コントローラ３１に出力すると共に、該車間制御コントローラ３１から車間クルーズ要求トルク（ＡＣＣ要求トルク）を入力する。また、自動制御要求トルク演算部２１Ｄｂは、ステアリングリングＳＷによって設定された設定車速及び現在の車速に基づき、設定車速にフィードバック制御するためのクルーズ要求トルクを演算する。そして、自動制御要求トルクは、ＡＣＣ作動（車間制御の作動）の有無に応じて、車間クルーズ要求トルク（ＡＣＣ要求トルク）若しくはクルーズ要求トルクの一方を自動制御要求トルクとして選択する。ここでは、ＡＣＣ作動時には、クルーズ要求トルクよりも車間クルーズ要求トルクを優先して選択するように処理する。
【００３７】
第１目標駆動トルク演算部２１Ｄｃは、ドライバ要求トルク演算部２１Ｄａが演算したドライバ要求トルクと、自動制御要求トルク演算部２１Ｄｂが演算した自動制御要求トルクのセレクトハイを実施して、大きい方を第１目標駆動トルクとして選択して出力する。
車速リミッタトルク演算部２１Ｄｄは、ステアリングスイッチ２８によって設定した設定車速及び現在の車速に基づき、上限の車速以下とするための車速リミッタトルクを演算する。
最終目標駆動トルク演算部２１Ｄｅは、第１目標駆動トルク演算部２１Ｄｃが出力する第１目標駆動トルクと、車速リミッタトルク演算部２１Ｄｄが演算した車速リミッタトルクとのセレクトローを実施する。すなわち、第１目標駆動トルクを車速リミッタトルクで制限して、目標駆動トルクを求める。
【００３８】
車両状態モード決定部２１Ｅは、アクセル開度ＡＰＯ、車速情報（又は変速機出力回転数）、モータ出力可能トルク、要求エンジントルク、及び目標駆動トルクに基づき、車両状態モード領域マップ（ＥＶ−ＨＥＶ遷移マップ）などを参照して、目標とする目標車両状態モード（ＥＶモード、ＨＥＶモード）を決定する。たとえば、車両制駆動制御のための目標駆動トルクに、エンジン１の始動に必要なクランキングトルクを加えたトルクが、モータ２が出力可能なトルクを下回ると、ＨＥＶモードからＥＶモードに運転モードが遷移する。また、バッテリ充電等の要求などによって要求エンジントルクがある場合には、目標とする目標車両状態モードをＨＥＶモードとする。そして、現在の車両状態モードがＥＶモードであり、目標車両状態モードがＨＥＶモードである場合には、エンジン始動シーケンスの処理を行う。また、現在の車両状態モードがＨＥＶモードであり、目標車両状態モードがＥＶモードである場合には、エンジン停止シーケンスの処理を行う。
【００３９】
ここで、車両状態モードとしては、図６に示すように、ＨＥＶモード、ＥＶモード、遷移時のモードである、エンジン停止シーケンス及びエンジン始動シーケンスのモードを備える。ＨＥＶモードは、少なくともエンジン１を駆動源として走行する車両状態モードである。エンジン停止シーケンスのモードは、ＨＥＶモードからＥＶモードに移行する際の遷移時の車両状態モードである。エンジン始動シーケンスのモードは、ＥＶモードからＨＥＶモードに移行する際の遷移時の車両状態モードである。そして、現在の車両状態モードと目標車両状態モードとが同じ場合には、前回の状態モードを保持する。例えば、現在の車両状態モードがＥＶモードで目標車両状態モードもＥＶモードの場合には、車両状態モードをＥＶモードとする。現在の車両状態モードがＨＥＶモードで目標車両状態モードもＨＥＶモードの場合には、車両状態モードをＨＥＶモードとする。一方、現在の車両状態モードがＥＶモードで、目標車両状態モードがＨＥＶモードの場合、若しくは現在の車両状態モードがＨＥＶモードで、目標車両状態モードがＥＶモードの場合、遷移モードとして、エンジン１の停止若しくは始動の処理が完了するまでは、エンジン停止シーケンスのモード若しくはエンジン始動シーケンスのモードとなる。
【００４０】
本実施形態における車両状態モード決定部２１Ｅは、図７に示すように、エンジン始動判定処理部２１Ｅａ及びエンジン停止判定処理部２１Ｅｂを備える。
エンジン始動判定処理部２１Ｅａは、エンジン始動について判定する。本実施形態のエンジン始動判定処理部２１Ｅａでは、アクセル開度ＡＰＯに基づくエンジン始動要求、システムによるエンジン始動要求（バッテリＳＯＣの低下時等）、クルーズによるエンジン始動要求等に対して、エンジン始動の判定を行い、エンジン始動要求をＯＮにする。
【００４１】
エンジン停止判定処理部２１Ｅｂは、エンジン停止について判定する。本実施形態のエンジン停止判定処理部２１Ｅｂでは、下記の条件のいずれかを満足すると、エンジン停止要求をＯＮにする。下記条件のいずれも満足しない場合には、エンジン停止要求をＯＦＦにする。
・アクセル開度ＡＰＯが予め設定したエンジン停止開度以下
・クルーズ要求トルク（目標駆動トルク）が予め設定したエンジン停止トルク以下
ただし、システム要求による停止禁止要求がある場合には、エンジン停止要求をＯＦＦとする。システム要求による停止禁止要求とは、例えばＳＯＣが予め設定した値以下に低下している場合、水温が予め設定した温度以下の場合、モータ２の許容回転数以上の車速などの場合である。
【００４２】
目標エンジントルク算出部２１Ｈは、車両状態モード決定部２１Ｅが決定した目標車両状態モード、車速などの走行状態情報、目標駆動トルク、発電のために必要となる要求エンジントルクに基づき、目標エンジントルクを算出する。なお、目標車両状態モードがＥＶモードである場合には、エンジントルクは不要であるので、目標エンジントルクは、ゼロ若しくは負値となっている。また、予め設定したＦ／Ｃ条件を満足している場合には、エンジンに対して燃料カット（Ｆ／Ｃ）を指示し、エンジンは空回りしている状態になっている。
【００４３】
目標モータトルク算出部２１Ｊは、車両状態モード決定部２１Ｅが決定した目標車両状態モード、車速などの走行状態情報、目標駆動トルク、要求発電トルクに基づき、目標モータトルクを算出する。例えば、目標駆動トルクから、目標エンジントルクに遅れ補正を施したトルク値を減算した値を目標モータトルクとする。なお、なお、他の制御部から回生ブレーキ要求トルク（＜０）の入力がある場合には、目標モータトルクをその回生ブレーキ要求トルク分を足した値を最終的な目標モータトルクとする。
エンジン始動制御部２１Ｆは、エンジン始動フラグがＯＮの場合に作動して、モータ走行中にエンジン１を始動する処理を実施してＨＥＶモードへの移行処理を行う。
【００４４】
次に、エンジン始動制御部２１Ｆの処理例について説明する。
エンジン始動制御部２１Ｆは、モータ走行中にエンジン始動指令（エンジン始動フラグがＯＮ）を取得すると起動する。
まず第２クラッチ５を目標クラッチ伝達トルクにするための目標第２クラッチトルク指令を、ＡＴコントローラ２４に出力する。上記目標第２クラッチ伝達トルク指令ＴＣＬ２は、エンジン始動処理前の出力トルク相当のトルクを伝達可能な伝達トルク指令であって、モータ２が出力する駆動力を増大したとしても出力軸トルクに影響を与えない範囲とする。ここで、ＡＴコントローラ２４は、指令に応じたクラッチ油圧が発生するように第２クラッチ油圧ユニットを制御する。
【００４５】
次に、モータコントローラ２３に、モータ２を回転数制御する指令を出力する。なお、モータ２の実トルクはモータ２に作用する負荷によって決定する。続いて、ＡＴコントローラ２４に対して、第１クラッチ４のトルク伝達トルクがエンジンクランキング用のトルクとなるトルク指令を出力する。続いて、エンジン回転数とモータ回転数とが同期したことを検知したら、クランキング処理の終了として第１クラッチ４を完全締結とする指令を出力する。第１クラッチ４の同期判定は、実モータ回転と実エンジン回転の差回転が規定値以下の状態が規定時間経過したときに同期したと判定する。規定値は第１クラッチ４トルク制御中から完全締結移行時の応答無駄時間相当の差回転を設定する。さらに、エンジン回転数が始動可能回転数以上になったことを検知したら、エンジンコントローラ２２に対してエンジン始動指令を出力する。そして復帰する。
【００４６】
エンジン停止制御部２１Ｇは、エンジン停止指令（エンジン停止フラグがＯＮ）を取得すると起動し、エンジン走行から、モータ２を駆動してモータ２車両状態モードへの移行処理を行う。
例えば、エンジン停止制御部２１Ｇは、エンジン停止指令（エンジン停止フラグがＯＮ）を取得すると起動して、まず、ＡＴコントローラ２４に対して、第１クラッチ４を滑り締結する予め設定したトルク指令を出力する。同期をとって、モータコントローラ２３に、モータ２を回転数制御する指令を出力する。これによって、第１クラッチ４によるエンジン１からのトルクを減少しつつ、モータトルクを増大して、目標駆動トルクを得る。目標モータトルクが目標駆動トルクとなったら、第１クラッチ４を目標クラッチ伝達トルク＝０にするための目標第１クラッチ４トルク指令を、ＡＴコントローラ２４に出力する。その後、エンジンコントローラ２２に対して目標エンジントルクをゼロを出力する。これによって、エンジンは燃料カット（Ｆ／Ｃ）され、エンジンは空回りしている状態となる。
【００４７】
目標クラッチトルク算出部２１Ｋは、車両状態モード決定部２１Ｅが決定した目標車両状態モード、エンジン１及びモータ２の発生トルクに基づき、第１クラッチ４及び第２クラッチ５の目標各クラッチトルクを算出する。なお、ＥＶモード状態の場合には、通常、ＡＴコントローラ２４に第１クラッチ４の開放指令を出力すると共に、ＡＴコントローラ２４に第２クラッチ５の締結指令を出力することで、第１クラッチ４を開放状態とすると共に、第２クラッチ５を締結状態とする。また、ＨＥＶモード状態の場合には、通常、ＡＴコントローラ２４に第１クラッチ４の締結指令を出力すると共に、ＡＴコントローラ２４に第２クラッチ５の締結指令を出力することで、第１クラッチ４を締結状態とすると共に、第２クラッチ５を締結状態とする。また、エンジン始動若しくは停止処理の場合には、上述の締結開放状態となるクラッチトルクを算出する。
なお、図３におけるＶＡＰＯ演算２１Ｌは、クルーズ要求トルクから逆算して対応する推定アクセル開度を演算して、演算した推定アクセル開度を変速用アクセル開度としてＡＴコントローラ２４に出力する。
【００４８】
（手動変速モード）
次に、本実施形態における手動変速モードについて、図８を参照して説明する。図８に示すように、セレクトレバーの位置として、車両の前進「Ｄ」、中立「Ｎ」、後退「Ｒ」、駐車「Ｐ」があり、これらを運転者が選択する。また、セレクトレバーの位置として、手動「Ｍ」、マニュアルシフトアップ「Ｍ＋」、マニュアルシフトダウン「Ｍ−」があり、これらは手動変速モードにおけるセレクトレバーの位置である。
【００４９】
自動変速モードから手動変速モードに切り替えるには、運転者がセレクトレバーを、前進「Ｄ」の位置から手動「Ｍ」の位置に移動操作する必要がある。手動変速モードにおいて、運転者がセレクトレバーをマニュアルシフトアップ「Ｍ＋」に移動すると変速機のギヤ段が上がり（変速比が下がり）、マニュアルシフトダウン「Ｍ−」に移動すると変速機のギヤ段が下がる（変速比が上がる）。
【００５０】
図８の符号Ａのように、運転者がシフトダウン操作した場合、その後に車速が低下するため再度加速の要求が発生する可能性がある。このため、本実施形態では、運転者がシフトダウン操作した場合には、ＨＥＶモードに移行する。つまり、エンジンを始動する。このように制御すると、シフトダウンによる変速によって回転数が上昇し使用可能なモータトルクが減少しても、エンジントルク（フリクショントルク）が使用できるので、制動力を確保することができる。
【００５１】
また、再度加速する時にエンジンを再始動すると、タイムラグが生じて加速レスポンスについて運転者に違和感を与える可能性がある。これに対し、本実施形態では、上記のように運転者がシフトダウン操作したときにエンジンを始動することにより、上記のタイムラグが生じなくなり、加速レスポンスを確保することができる。
さらに、運転者がシフトダウン操作した場合、変速機の入力回転数が上昇し、その後ＨＥＶモードに移行（エンジン始動）すると、高回転状態であるためにエンジンの始動のために使用可能なモータトルクが減少する。すると、第２クラッチ５がスリップ状態を維持することができず、ショックが生じる可能性がある。これに対し、本実施形態では、上記のようにシフトダウン操作があったときにエンジンを始動することにより、高回転状態になる前にエンジンを始動でき、上記ショックを回避することができる。
【００５２】
運転者がセレクトレバーを操作した場合に、変速線上変速許可できない領域であるときには変速を行うことができない。このとき、変速を行わないにも関わらずエンジン始動をすると、それをタコメータによって運転者が認識し、運転者に違和感を与えることになる。これに対し、本実施形態では、運転者がセレクトレバーを操作し、かつ、目標ギヤ段が現在ギヤ段より低い場合に、ＨＥＶモードに移行（エンジン始動）することにより、変速と共にエンジンを始動することができ、運転者に上記違和感を与えることを回避できる。
【００５３】
次に、上記の処理の具体的内容について説明する。コースト（惰性走行）状態において、図８の符号Ａのように、運転者がシフトダウン操作した場合、エンジン始動判定処理部２１Ｅａによる図９に示す制御となる。すなわち、まずステップＳ１では、目標とするギヤ段である目標ギヤ段が現在のギヤ段である現在ギヤ段より低いか否かを判定する。ステップＳ１において、目標ギヤ段が現在ギヤ段より低い場合には、ステップＳ２に移行して、予め設定した時間をディレイタイマによってカウントする。ステップＳ２においてディレイタイマによるカウントが終了すると、ステップＳ３に移行し、ＨＥＶモードに移行してエンジンを始動する。
一方、ステップＳ１において、目標ギヤ段が現在ギヤ段より低くない場合には、ステップＳ４に移行し、ＥＶモードを継続する。したがって、エンジンの始動は行わない。
【００５４】
（動作）
次に、本実施形態のハイブリッド車両の動作を説明する。
本発明に係る車両用走行制御装置は、ハイブリッド車両がコースト状態でシフトダウン操作があった場合に作動する。
ハイブリッド車両がコースト状態でシフトダウン操作があった場合、エンジン始動判定処理部２１Ｅａが、目標ギヤ段の方が現在のギヤ段より低いか否かを判定する。
そして、目標ギヤ段の方が現在のギヤ段より低い（即ちシフトダウンとなる）場合には、ディレイタイマによるカウントを経て、エンジンを始動する。
これにより、シフトダウンによって変速機の回転数が上昇し、使用可能なモータトルクが減少しても、エンジンのフリクショントルクによって制動力を確保できる。また、ディレイタイマのカウント後にエンジンを始動するため、統合コントローラ２１において、エンジンの始動を抑制する条件を確実に判定した後に、エンジンの始動を指令することができる。
【００５５】
また、シフトダウン操作後に再加速する場合、エンジンは予め始動しているため、エンジン始動による加速レスポンスの低下を回避することができる。
また、シフトダウン操作後、変速機の回転数が上昇する前にエンジンを始動することから、高回転状態で使用可能なモータトルクが減少する以前にエンジンを始動できる。そのため、第２クラッチ５のスリップ状態を維持し、エンジン始動によるショックを生じないようにエンジンを始動することができる。
さらに、運転者がセレクトレバーを操作し、かつ、目標ギヤ段が現在ギヤ段より低い場合に、エンジンを始動するため、変速と共にエンジンを始動することができる。したがって、変速線上変速許可できない領域でシフトダウン操作の入力があった場合に、運転者に対し、変速を行うことなくエンジンの始動のみが発生することによる違和感を与えることを回避できる。
【００５６】
このように、本発明によれば、手動変速モードにおいて、エンジンの始動および停止をより適切に制御することが可能となる。
なお、本実施形態において、エンジン１がエンジンに対応し、モータ２がモータに対応し、統合コントローラ２１およびＡＴコントローラ２４が変速制御手段に対応する。また、マニュアルモードスイッチ３６が手動変速操作手段に対応し、統合コントローラ２１およびエンジンコントローラ２２が始動制御手段に対応する。
【００５７】
（第１の実施形態の効果）
（１）コースト状態で、手動変速操作手段の操作によって手動変速状態となった場合に、手動変速操作手段による操作がシフトダウン操作であるときに、エンジンを始動する。
このように制御すれば、再加速時にエンジンが再始動することによって生じるタイムラグを抑制することができる。
したがって、ハイブリッド車両が手動変速状態であるときに、エンジンの始動および停止をより適切に制御することができる。
【００５８】
（２）手動変速操作手段の変速操作がシフトダウン操作である場合に、目標ギヤ段が現在のギヤ段よりも低く、かつ、予め設定したディレイタイムが経過した後に、エンジンを始動する。
したがって、シフトダウンによって変速機の回転数が上昇し、使用可能なモータトルクが減少しても、エンジンのフリクショントルクによって制動力を確保できる。また、ディレイタイムのカウント後にエンジンを始動するため、始動制御部において、エンジンの始動を抑制する条件を確実に判定した後に、エンジンを始動することができる。
【００５９】
（第２の実施形態）
次に、本発明の第２の実施形態について説明する。
本実施形態では、統合コントローラ２１が実行する処理が第１実施形態と異なっている。
以下、ハイブリッド車両の構成については第１実施形態を参照し、異なる処理内容について説明する。
コースト（惰性走行）状態において、図８の符号Ｂのように、運転者がセレクトレバーを操作して自動変速モードから手動変速モードに切り替えた場合、入出力回転数もしくは車速が予め設定された閾値以上であれば、ＨＥＶモードに移行（エンジン始動）する。本実施形態では、設定されたディレイタイム経過後にエンジンを始動してＨＥＶモードに移行する。自動変速モードから手動変速モードへの切り替え操作を運転者が行った場合において、入出力回転数もしくは車速が予め設定された閾値以上であれば、エンジンを始動する。自動変速モードから手動変速モードへの切り替え時に、ダウンシフトによって変速機の入力回転数が上昇し、その後ＨＥＶモードに移行（エンジン始動）すると、高回転状態であるためにエンジンの始動のために使用可能なモータトルクが減少し、第２クラッチ５がスリップ状態を維持することができず、ショックが生じる。これに対し、本実施形態では、上記のようにエンジンを始動することにより、高回転状態になる前にエンジンを始動でき、上記ショックを回避することができる。
【００６０】
一方、入出力回転数もしくは車速が予め設定された閾値未満であれば、ＨＥＶモードに移行せず、ＥＶモードを継続する。自動変速モードから手動変速モードへの切り替え操作を運転者が行った場合において、入出力回転数もしくは車速が予め設定された閾値未満であれば、運転者の要求はダウンシフトではなくエンジンブレーキであるため、ＨＥＶモードに移行しない（エンジン始動しない）。これにより、運転者の意思によって、モータへの回生量を増加できる。また、自動変速モードから手動変速モードへの最初の切り替え時は、ＥＶモードとし実用燃費悪化を抑えるようにしてもよい。
【００６１】
次に、上記の処理の具体的内容について説明する。コースト（惰性走行）状態において、図８の符号Ｂのように、運転者が自動変速モードから手動変速モードに切り替えた場合、例えば、エンジンブレーキをかけようとした運転者のセレクトレバー操作により、自動変速モードのギヤ段「７」から手動変速モードのギヤ段「５」に変わった場合、エンジン始動判定処理部２１Ｅａによる図１０に示す制御となる。すなわち、まずステップＳ５では、変速機の入出力回転数もしくは車速が、予め設定した閾値以上であるか否かを判定する。ステップＳ５において、変速機の入出力回転数もしくは車速が閾値以上であれば、ステップＳ６に移行して、予め設定した時間をディレイタイマによってカウントする。ステップＳ６においてディレイタイマによるカウントが終了すると、ステップＳ７に移行し、ＨＥＶモードに移行してエンジンを始動する。
一方、ステップＳ５において、変速機の入出力回転数もしくは車速が、予め設定された閾値未満であれば、ステップＳ８に移行し、ＥＶモードを継続する。したがって、エンジンの始動は行わない。
【００６２】
（動作）
次に、本実施形態のハイブリッド車両の動作を説明する。
本発明に係る車両用走行制御装置は、ハイブリッド車両がコースト状態でシフトダウン操作があった場合に作動する。
ハイブリッド車両がコースト状態で運転者がマニュアルスイッチ３６を操作した場合（手動変速モードに切り替えた場合）、エンジン始動判定処理部２１Ｅａが変速機の入出力回転数（若しくは車速）が予め設定した閾値以上であるか否かを判定し、予め設定した閾値以上であると、ディレイタイマのカウントを行う。
そして、ディレイタイマのカウントが予め設定した時間に達すると、エンジンの始動を行う。
【００６３】
これにより、変速機の入出力回転数あるいは車速が閾値未満であり、運転者がエンジンブレーキを使用する意図であると推定できる状況では、エンジンを始動することなくＥＶモードを継続する。
したがって、運転者の意図によって回生量を増加させることができると共に、自動変速モードから手動変速モードに最初に切り替わったときにはＥＶモードとなるため、実用燃費の向上を図ることができる。
【００６４】
次に、図１１、図１２を参照し、比較例と共に本実施形態の効果について説明する。図１１、図１２は、共に、手動変速モードである場合にハイレベルになるマニュアルモードフラグＭＭＯＤＥ、運転者がシフトダウン操作をした場合にハイレベルになるシフトダウンフラグＤＷＳＷ、エンジンが始動している場合にハイレベルになるエンジン始動フラグＥＮＧＳＴＡＲＴ、変速機の現在のギヤ段に対応するレベルになるＮＥＸＴＧＰ＿ＭＡＰ信号、エンジンの始動を禁止する排他処理を行っている期間にハイレベルになる始動禁止フラグ、を示している。なお、図１１、図１２は、共に、車速が時速１００キロメートル以上の場合において、運転者が自動変速モードから手動変速モードに切り替え、さらに自動変速モードに切り替えた場合の制御内容を示している。
【００６５】
比較例を示す図１１において、マニュアルモードフラグＭＭＯＤＥは、手動変速モードである場合にハイレベルになる。このマニュアルモードフラグＭＭＯＤＥがハイレベルである期間において、変速機のギヤ段が「７」で車速が時速１００キロメートル以上の場合、タイミングＴ１で運転者が自動変速モードから手動変速モードに切り替えると、さらに運転者はエンジンブレーキをかけるために例えばギヤ段「５」に変速する可能性がある。このような場合、自動変速モードから手動変速モードに切り替えたタイミングＴ１の後のタイミングＴ２において、エンジン始動フラグＥＮＧＳＴＡＲＴがハイレベルに遷移する可能性がある。
【００６６】
ここで、その後のタイミングＴ３において運転者がギヤ段「７」からギヤ段「５」に変速した場合を考える。この場合、ＮＥＸＴＧＰ＿ＭＡＰ信号のレベルは、ギヤ段「７」に対応するレベルから、ギヤ段「６」に対応するレベルに一旦変化し、その後タイミングＴ４においてギヤ段「５」に対応するレベルになる。このとき、本例では、オーバドライブ（ＯＤ）のキャンセルを行う。
【００６７】
この図１１の場合、始動禁止フラグがハイレベルに遷移するタイミングがないので、エンジンが始動してしまう可能性がある。つまり、統合コントローラ２１の配置によっては、レバースイッチ信号が統合コントローラ２１に早期に入力し、エンジン始動フラグＥＮＧＳＴＡＲＴが早期にハイレベルに遷移するため、排他処理のための始動禁止フラグがハイレベルにならず、エンジンが始動してしまう可能性がある。
【００６８】
一方、本実施形態の効果を示す図１２では、マニュアルモードフラグＭＭＯＤＥがハイレベルである期間において、例えば変速機のギヤ段が「７」で車速が時速１００キロメートル以上の場合、タイミングＴ１で運転者が自動変速モードから手動変速モードに切り替えると、コースト（惰性走行）状態であり、かつ、目標ギヤ段が現在のギヤ段よりも低ければ、図１１の場合よりも遅いタイミングでエンジン始動フラグＥＮＧＳＴＡＲＴがハイレベルに遷移する。すなわち、エンジン始動フラグＥＮＧＳＴＡＲＴの遷移タイミングは、タイミングＴ２ではなく、図１１の矢印Ｙで示すディレイタイマによる予め設定した時間が経過した後のタイミングＴ２’以降になる可能性がある。
【００６９】
さらに、本例では、始動禁止フラグがタイミングＴ３においてハイレベルに遷移してエンジンの始動を禁止することになる。このため、その後、始動禁止フラグがローレベルに遷移したタイミングＴ３’において、エンジン始動フラグＥＮＧＳＴＡＲＴがハイレベルに遷移するか（上記閾値以上の場合）又はローレベルのまま（上記閾値未満の場合）となる。
以上のように、ディレイタイマが経過した後に、エンジンを始動することによって、運転者の要求する駆動力を運転者の要求する適切なタイミングで遅滞なく得ることができる。
【００７０】
（第２の実施形態の効果）
（１）手動変速操作手段の変速操作があった場合に、変速機の入出力回転数または車速が閾値以上であり、かつ、予め設定したディレイタイムが経過した後に、エンジンを始動する。
これにより、変速機の入出力回転数あるいは車速が閾値未満であり、運転者がエンジンブレーキを使用する意図であると推定できる状況では、エンジンを始動することなくＥＶモードを継続する。
したがって、運転者の意図によって回生量を増加させることができると共に、自動変速状態から手動変速状態に最初に切り替わったときにはエンジンを始動しないため、実用燃費の向上を図ることができる。
【００７１】
（応用例）
手動変速モードにおいて、一旦ＨＥＶモードに移行した後は、エンジンを停止させず、ＨＥＶモードを継続する。これにより、再度の加速や、減速レスポンスを確保することができる。
また、手動変速モードにおいて、車速が低下したため、ＥＶモードによるオートダウンシフトを行った場合、ＥＶモードを継続する。この場合、運転者からの要求は無く、入力回転数も低いため、ＨＥＶモードに移行しない（エンジンを始動しない）。
（効果）
（１）手動変速操作手段の変速操作によって前記エンジンが始動した後、前記手動変速状態の解除まで、エンジンの停止を禁止する。
これにより、加減速のレスポンスを向上させることができる。
【符号の説明】
【００７２】
１  エンジン
２  モータ
４  第１クラッチ
５  第２クラッチ
７  駆動輪
２０  アクセルセンサ
２１  統合コントローラ
２１Ａ  要求発電トルク演算部
２１Ｂ  要求エンジントルク演算部
２１Ｃ  モータ出力可能トルク演算部
２１Ｄ  目標駆動トルク演算部
２１Ｄａ  ドライバ要求トルク演算部
２１Ｄｂ  自動制御要求トルク演算部（自動走行手段）
２１Ｄｃ  第１目標駆動トルク演算部
２１Ｄｄ  車速リミッタトルク演算部
２１Ｄｅ  最終目標駆動トルク演算部
２１Ｅ  車両状態モード決定部
２１Ｅａ  エンジン始動判定処理部
２１Ｅｂ  エンジン停止判定処理部
２１Ｆ  エンジン始動制御部
２１Ｇ  エンジン停止制御部
２１Ｈ  目標エンジントルク算出部
２１Ｊ  目標モータトルク算出部
２１Ｋ  目標クラッチトルク算出部
２１Ｌ  ＶＡＰＯ演算
２２  エンジンコントローラ
２３  モータコントローラ
２４  ＡＴコントローラ
２５  ブレーキコントローラ
２６  バッテリコントローラ
２８  ステアリングスイッチ
３０  クルーズキャンセルスイッチ
３１  車間制御コントローラ
【図１】
0005962799.tif 000002
【図２】
0005962799.tif 000003
【図３】
0005962799.tif 000004
【図４】
0005962799.tif 000005
【図５】
0005962799.tif 000006
【図６】
0005962799.tif 000007
【図７】
0005962799.tif 000008
【図８】
0005962799.tif 000009
【図９】
0005962799.tif 000010
【図１０】
0005962799.tif 000011
【図１１】
0005962799.tif 000012
【図１２】
0005962799.tif 000013